(57)【特許請求の範囲】
【請求項１】
リードフレームにおける電子部品をリードフレームから切り離す箇所と、前記電子部品を収容するケースとの間に、前記電子部品が通過するように構成したトンネルを、上向き略半円形状に湾曲して設け、このトンネルの両端のうち一端における下向き開口部を、前記リードフレームから切り離す電子部品の真上の部位に位置して、この下方に、当該一端の下向き開口部に対して空気を吹き込むようにしたノズルを設けたことを特徴とする電子部品をその収容ケースに装填する装置。
【請求項２】
第１リードフレームにおける電子部品を第１リードフレームから切り離す箇所と、第２リードフレームにおける電子部品を第２リードフレームから切り離す箇所との中間に、前記各電子部品を収容するケースを配設し、このケースと前記第１リードフレームとの間に、前記電子部品が通過するように構成した第１トンネルを、上向き略半円形状に湾曲して設け、この第１トンネルの両端のうち一端における下向き開口部を、前記第１リードフレームから切り離す電子部品の真上の部位に位置して、この下方に、当該一端の下向き開口部に対して空気を吹き込むようにしたノズルを設ける一方、前記ケースと前記第２リードフレームとの間に、前記電子部品が通過するように構成した第２トンネルを、上向き略半円形状に湾曲して設け、この第２トンネルの両端のうち一端における下向き開口部を、前記第２リードフレームから切り離す電子部品の真上の部位に位置して、この下方に、当該一端の下向き開口部に対して空気を吹き込むようにしたノズルを設けたことを特徴とする電子部品をその収容ケースに装填する装置。
【発明の詳細な説明】
【０００１】
【発明の属する技術分野】
本発明は、各種の電子部品を、これを収容するケース内に装填するための装置に関するものである。
【０００２】
【従来の技術】
電子部品とこれを収容するケースとから成るケース入り電子部品の代表例であるところのホトインタラプターは、図１及び図２に示すように、合成樹脂製のケース１における二つの収容部１ａ，１ｂ内に、少なくとも一対のリード端子２′を備えた発光素子２と、同じく少なくとも一対のリード端子３′を備えた受光素子３とを、互いに向かい合わせにして装填するという構成にしている（例えば、特開平７−９４７７５号公報等参照）。
【０００３】
ところで、この構造のホトインタラプターにおいて使用される発光素子２及び受光素子３は、図３に示すように、リードフレームＡ，Ｂにより複数個ずつ製造される。
【０００４】
そこで、従来、前記ホトインタラプターへの組み立てに際しては、リードフレームＡ，Ｂにて製造された発光素子２及び受光素子３の一つをリードフレームＡ，Ｂから切り離し、次いで、この一つの発光素子２及び受光素子３を下向きに方向変換したのち、上向き姿勢にしたケース１における両収容部１ａ，１ｂ内に装填するという方法が採用されている。
【０００５】
【発明が解決しようとする課題】
この組み立てにおいて従来は、発光素子２及び受光素子３をその各々のリードフレームＡ，Ｂより切り離すと、この発光素子２及び受光素子３におけるリード端子２′，３′の部分をクランプし、このクランプした状態で、下向きへの方向変換と、ケース１内への装填とを行うようにしているから、発光素子２及び受光素子３におけるリード端子２′，３′に曲がり変形が発生するおそれが大きいばかりか、装置の構造が複雑で、著しく大型で且つ高価になるという問題があった。
【０００６】
本発明は、前記したように、リードフレームから切り離した電子部品を、上下逆向きに方向変換したのちケースに収容する場合に、前記したような問題が発生しないようにした装置を提供することを技術的課題とするものである。
【０００７】
【課題を解決するための手段】
この技術的課題を達成するため本発明の請求項１は、
「リードフレームにおける電子部品をリードフレームから切り離す箇所と、前記電子部品を収容するケースとの間に、前記電子部品が通過するように構成したトンネルを、上向き略半円形状に湾曲して設け、このトンネルの両端のうち一端における下向き開口部を、前記リードフレームから切り離す電子部品の真上の部位に位置して、この下方に、当該一端の下向き開口部に対して空気を吹き込むようにしたノズルを設ける。」
という構成にした。
【０００８】
また、本発明の請求項２は、
「第１リードフレームにおける電子部品を第１リードフレームから切り離す箇所と、第２リードフレームにおける電子部品を第２リードフレームから切り離す箇所との中間に、前記各電子部品を収容するケースを配設し、このケースと前記第１リードフレームとの間に、前記電子部品が通過するように構成した第１トンネルを、上向き略半円形状に湾曲して設け、この第１トンネルの両端のうち一端における下向き開口部を、前記第１リードフレームから切り離す電子部品の真上の部位に位置して、この下方に、当該一端の下向き開口部に対して空気を吹き込むようにしたノズルを設ける一方、前記ケースと前記第２リードフレームとの間に、前記電子部品が通過するように構成した第２トンネルを、上向き略半円形状に湾曲して設け、この第２トンネルの両端のうち一端における下向き開口部を、前記第２リードフレームから切り離す電子部品の真上の部位に位置して、この下方に、当該一端の下向き開口部に対して空気を吹き込むようにしたノズルを設ける。」
という構成にした。
【０００９】
【発明の作用・効果】
この構成において、リードフレームから切り離された電子部品は、その下方におけるノズルから噴出する空気によって、トンネルの一端における下向き開口部に吹き込まれ、トンネル内を空気流にて通過するとき上下逆向きに方向変換し、そして、トンネルの他端における下向き開口部からケース内に装填される。
【００１０】
つまり、本発明によると、リードフレームから切り離した電子部品を、逆向きに方向変換したのちケースに装填することを、当該電子部品におけるリード端子の部分をクランプすることなく行うことができるから、電子部品におけるリード端子に曲がり変形が発生することを大幅に低減できるとともに、装置の構造が著しく簡単になり、その小型化及び低価格化を確実に達成できる効果を有する。
【００１１】
特に、請求項２のように構成した場合には、一つのケースに対して二つの電子部品を一挙に装填することができるので、前記例示したホトインタラプターの組み立てに適用して、多大の効果を発揮するのである。
【００１２】
【発明の実施の形態】
以下、本発明の実施の形態を、前記例示したホトインタラプターの組み立てに適用した場合を示す図面（図４及び図５）について説明する。
【００１３】
この図において、符号４は、鉛直に立設したトンネル用パネルを示し、このトンネル用パネル４における下面には、その一端部に、前記ホトインタラプターにおける発光素子２の複数個を備えた第１リードフレームＡをその長手方向に移送するように保持する第１ホルダー５が、その他端部に、前記ホトインタラプターにおける受光素子３の複数個を備えた第２リードフレームＢをその長手方向に移送するように保持する第２ホルダー６が各々配設され、これら両ホルダー５，６には、発光素子２及び受光素子３をその各々のリードフレームＡ，Ｂから切り離すためのカッター機構７，８が設けられている。
【００１４】
更にまた、前記トンネル用パネル４における下面のうち前記両ホルダー５，６の中間の部位には、ホトインタラプターにおけるケース１を上向きの姿勢で一つずつ供給するための供給台９が設けられている。
【００１５】
前記トンネル用パネル４の内部には、前記第１ホルダー５と前記供給台９との間に第１トンネル１０を、前記第２ホルダー６と供給台９との間に第２トンネル１１を、各々上向き半円形に湾曲して設けて、この両トンネル１０，１１のうち第１トンネル１０においては、その一端の下向き開口部１０ａを、前記第１ホルダー５において第１リードフレームＡより切り離した発光素子２の真上の部位に、他端の下向き開口部１０ｂを、前記供給台９のケース１のうち発光素子用収容部１ａの真上に各々位置するように構成する一方、前記両トンネル１０，１１のうち第２トンネル１１においては、その一端の下向き開口部１１ａを、前記第２ホルダー６において第２リードフレームＢより切り離した受光素子３の真上の部位に、他端の下向き開口部１１ｂを、前記供給台９のケース１のうち受光素子用収容部１ｂの真上に各々位置するように構成する。
【００１６】
なお、前記実施の形態は、第１トンネル１０及び第２トンネル１１を、トンネル用パネル４に刻設した溝をトンネル用パネル４の前面に取付けた蓋板１２にて塞ぐことによって形成する場合を示したが、これに限らず、これら両トンネル１０，１１は、パイプを上向き半円形に湾曲変形することによって形成するようにしても良い。
【００１７】
そして、前記第１ホルダー５には、第１トンネル１０の一端における下向き開口部１０ａに対して空気を吹き込むようにしたノズル１３を、前記第２ホルダー６には、第２トンネル１１の一端における下向き開口部１１ａに対して空気を吹き込むようにしたノズル１４を各々設ける。
【００１８】
この構成において、第１ホルダー５において、第１リードフレームＡから一つの発光素子２がカッター機構７にて切り離されると、この発光素子２は、その下方におけるノズル１３から噴出する空気によって、第１トンネル１０の一端における下向き開口部１０ａに吹き込まれ、第１トンネル１０内を空気流にて通過するとき上下逆向きに方向変換し、そして、第１トンネル１０の他端における下向き開口部１０ｂからケース１における発光素子用収容部１ａ内に装填される。
【００１９】
また、第２ホルダー６において、第２リードフレームＢから一つの受光素子３がカッター機構８にて切り離されると、この受光素子３は、その下方におけるノズル１４から噴出する空気によって、第２トンネル１１の一端における下向き開口部１１ａに吹き込まれ、第２トンネル１１内を空気流にて通過するとき上下逆向きに方向変換し、そして、第２トンネル１１の他端における下向き開口部１１ｂからケース１における受光素子用収容部１ｂ内に装填される。
【００２０】
このようにして一つのケース１内に発光素子２と受光素子３とを装填すると、供給台９に空のケース１を供給する一方、第１リードフレームＡ及び第２リードフレームＢを一ピッチ送り、以後、前記のことを繰り返すのである。
【００２１】
なお、前記第１トンネル１０と第２トンネル１１とは、図示のように、供給台９側の部分において互いに交差するように構成しても良いが、交差しないように構成することができる。
【００２２】
このように、両トンネル１０，１１を交差しないように構成した場合には、一つのケース１に対する発光素子２及び受光素子３の装填を同時に行うことができるから、速度を早くできる。
【００２３】
また、前記各トンネル１０，１１を、その途中を軸線の回りに捩じった螺旋状トンネルに構成することにより、電子部品を、当該トンネル内の通過するときにその軸線の回りに方向変換することができる。
【００２４】
更にまた、本発明は、前記実施の形態のようにホトインタラプターの組み立てに適用することに限らず、リードフレームにおける各電子部品を、その包装用のケースに収容する場合にも適用できることはいうまでもない。
【図面の簡単な説明】
【図１】ホトインタラプターの縦断正面図である。
【図２】図１のII−II視断面図である。
【図３】従来の方法によるホトインタラプターの組み立てを示す斜視図である。
【図４】本発明の実施の形態を示す一部切欠正面図である。
【図５】図４のＶ−Ｖ、Ｖ′−Ｖ′視拡大断面図である。
【符号の説明】
１                ホトインタラプターのケース
２                発光素子
３                受光素子
２′，３′        リード
Ａ，Ｂ            リードフレーム
４                トンネル用パネル
５，６            ホルダー
７，８            カッター機構
９                供給台
１０，１１        トンネル
【図１】
0004792169.tif 000002
【図２】
0004792169.tif 000003
【図３】
0004792169.tif 000004
【図４】
0004792169.tif 000005
【図５】
0004792169.tif 000006